(57)【要約】【課題】ＩＰ端末の汎用性を失うことなく、ＩＰ端末のそれぞれに個別の端末情報を設定する。【解決手段】端末判定部１７が、通信回線Ｌに接続された際、記憶部１５の端末情報の有無または内容に基づいて自端末の種別を判定し、設定処理部１８が、自端末が親端末１０Ｘである場合には、子端末１０Ｙからの接続要求に応じて親端末ＩＰアドレスを子端末１０Ｙへ通知し、親端末１０Ｘから通知された情報取得要求に応じて記憶部１５から未設定の端末情報を取得して子端末１０Ｙへ通知し、自端末が子端末１０Ｙである場合には、通信回線Ｌへの接続時にブロードキャストで接続要求を送信し、親端末１０Ｘから通知された親端末ＩＰアドレスに基づいて親端末１０Ｘへ情報取得要求を送信し、親端末１０Ｘから通知された端末情報を自端末情報として設定する。【選択図】  図１
2019068206.tif 000002
【特許請求の範囲】
【請求項１】
複数のＩＰ電話端末と、通信回線を介してこれらＩＰ電話端末を内線収容する電話制御装置とを備えるＩＰ電話システムにおいて、前記複数のＩＰ電話端末のうちの１つとして用いられるＩＰ電話端末であって、
前記通信回線に接続される前に、前記複数のＩＰ電話端末のそれぞれで用いる端末情報が外部から入力された場合、前記端末情報を記憶する記憶部と、
前記通信回線に接続された際、前記記憶部の前記端末情報の有無または内容に基づいて自端末が親端末か子端末かを判定する端末判定部と、
自端末が前記親端末である場合には、前記子端末からの接続要求に応じて自端末のＩＰアドレスである親端末ＩＰアドレスを前記子端末へ通知し、これに応じて前記親端末から通知された情報取得要求に応じて前記記憶部から未設定の端末情報を取得して前記子端末へ通知し、自端末が前記子端末である場合には、前記通信回線への接続時にブロードキャストで接続要求を送信し、これに応じて前記親端末から通知された前記親端末ＩＰアドレスに基づいて前記親端末へ情報取得要求を送信し、これに応じて前記親端末から通知された端末情報を自端末情報として設定する設定処理部と
を備えることを特徴とするＩＰ電話端末。
【請求項２】
複数のＩＰ電話端末と、通信回線を介してこれらＩＰ電話端末を内線収容する電話制御装置とを備えるＩＰ電話システムであって、前記複数のＩＰ電話端末として、請求項１に記載のＩＰ電話端末を備えることを特徴とするＩＰ電話システム。
【請求項３】
複数のＩＰ端末と、通信回線を介してこれらＩＰ端末とデータ通信を行う上位装置とを備えるＩＰ端末システムにおいて、前記複数のＩＰ端末のうちの１つとして用いられるＩＰ端末であって、
前記通信回線に接続される前に、前記複数のＩＰ端末のそれぞれで用いる端末情報が外部から入力された場合、前記端末情報を記憶する記憶部と、
前記通信回線に接続された際、前記記憶部の前記端末情報の有無または内容に基づいて自端末が親端末か子端末かを判定する端末判定部と、
自端末が前記親端末である場合には、前記子端末からの接続要求に応じて自端末のＩＰアドレスである親端末ＩＰアドレスを前記子端末へ通知し、これに応じて前記親端末から通知された情報取得要求に応じて前記記憶部から未設定の端末情報を取得して前記子端末へ通知し、自端末が前記子端末である場合には、前記通信回線への接続時にブロードキャストで接続要求を送信し、これに応じて前記親端末から通知された前記親端末ＩＰアドレスに基づいて前記親端末へ情報取得要求を送信し、これに応じて前記親端末から通知された端末情報を自端末情報として設定する設定処理部と
を備えることを特徴とするＩＰ端末。
【発明の詳細な説明】
【技術分野】
【０００１】
本発明は、通信回線を介して接続された複数のＩＰ端末に対して個々の端末情報を設定する端末情報設定技術に関する。
【背景技術】
【０００２】
近年、ビジネスホンシステムやＰＢＸシステムなどの電話システムとして、複数のＩＰ電話端末を内線収容し、ＬＡＮなどの通信回線を介してこれらＩＰ電話端末とデータ通信を行うことにより、任意のＩＰ電話端末を電話網に交換接続する、いわゆるＩＰ電話システムが広く普及している。また、ＬＡＮや無線ＬＡＮなどの通信回線を介して、センサやカメラなどのＩＰ端末とサーバなどの上位装置との間でデータ通信を行うことにより、ＩＰ端末で取得したデータを上位装置が収集するセンサネットワークシステムがある。
【０００３】
このような、ＩＰ電話システムやセンサネットワークシステムなどのように、通信回線を介して接続された複数のＩＰ端末を備えるＩＰ端末システムでは、これらＩＰ端末に対して個々の端末情報を予め設定しておく必要がある。例えば、ＩＰ電話システムの場合、ＩＰ電話端末ごとに、内線番号のほか、管理サーバのＩＰアドレスやキーアサインなど、それぞれの内線番号と対応する個別の端末情報を設定しておく必要がある。また、センサネットワークシステムでは、システム内でＩＰ端末を識別するための固有の端末ＩＤやデータ送信間隔など、それぞれに個別の端末情報を設定しておく必要がある。
【０００４】
ＩＰ端末システムで用いる各ＩＰ端末に個別の端末情報を設定する場合、設置工事者がＩＰ端末が収められている梱包箱からＩＰ端末を開梱して、それぞれの端末情報を設定した後、再びＩＰ端末を元の梱包箱に梱包し、利用者に納入する端末情報設定方法が一般的である。しかしながら、このような方法では、ＩＰ端末の台数の増加に伴い作業負担も増加し、利用者に納入する前に一台一台開梱して再梱包するため、ＩＰ端末に対して傷や汚れを付けるリスクがあった。
【０００５】
従来、このような端末情報設定技術として、ＩＰ電話端末からの要求に応じて、電話制御装置（主装置）およびＤＨＣＰ装置が、ＩＰアドレスと内線番号からなる端末情報を自動的に設定する技術が提案されている（例えば、特許文献１など参照）。これにより、ＩＰ電話端末に対するＩＰアドレスと内線番号の設定作業を自動化することができる。
【先行技術文献】
【特許文献】
【０００６】
【特許文献１】特開２０１０−１８７４０６号公報
【発明の概要】
【発明が解決しようとする課題】
【０００７】
しかしながら、このような従来技術は、ＩＰ電話システムを設置する設置作業時に、通信回線に接続したＩＰ電話端末からの登録要求に応じて、ＤＨＣＰ装置が新規のＩＰアドレスを生成して、電話制御装置がそのＩＰアドレスに内線番号を割り当て、これらＩＰアドレスおよび内線番号をＩＰ電話端末に設定するとともに、これら内線番号にＩＰアドレスとＩＰ電話端末のＭＡＣアドレスとを対応付けて、内線番号割当有無を管理するための管理テーブルに登録する技術である。したがって、従来技術によれば、各ＩＰ電話端末に内線番号を設定できるものの、内線番号と対応する個別の端末情報を設定することはできない。
【０００８】
一方、それぞれの内線番号と対応する個別の端末情報を予め電話制御装置に設定しておき、ＩＰ電話端末からの登録要求に応じて、内線番号とともに対応する個別の端末情報を電話制御装置からＩＰ電話端末に設定する方法も考えられる。
このような端末情報設定方法を実現するためには、電話制御装置とＩＰ電話端末の双方が、内線番号さらには端末情報を設定するためのプロトコルを共有しておく必要がある。しかしながら、ＩＰ電話システムの場合、一般的には、電話制御装置とＩＰ電話端末とをセットとして納品せず、電話制御装置とＩＰ電話端末とをフレキシブルに組み合わせることもある。このため、従来技術によれば、ＩＰ電話端末さらには電話制御装置の汎用性が失われ、フレキシブルなＩＰ電話システムに対応できないという問題点があった。
【０００９】
本発明はこのような課題を解決するためのものであり、ＩＰ端末の汎用性を失うことなく、ＩＰ端末のそれぞれに個別の端末情報を設定できる端末情報設定技術を提供することを目的としている。
【課題を解決するための手段】
【００１０】
このような目的を達成するために、本発明にかかるＩＰ電話端末は、複数のＩＰ電話端末と、通信回線を介してこれらＩＰ電話端末を内線収容する電話制御装置とを備えるＩＰ電話システムにおいて、前記複数のＩＰ電話端末のうちの１つとして用いられるＩＰ電話端末であって、前記通信回線に接続される前に、前記複数のＩＰ電話端末のそれぞれで用いる端末情報が外部から入力された場合、前記端末情報を記憶する記憶部と、前記通信回線に接続された際、前記記憶部の前記端末情報の有無または内容に基づいて自端末が親端末か子端末かを判定する端末判定部と、自端末が前記親端末である場合には、前記子端末からの接続要求に応じて自端末のＩＰアドレスである親端末ＩＰアドレスを前記子端末へ通知し、これに応じて前記親端末から通知された情報取得要求に応じて前記記憶部から未設定の端末情報を取得して前記子端末へ通知し、自端末が前記子端末である場合には、前記通信回線への接続時にブロードキャストで接続要求を送信し、これに応じて前記親端末から通知された前記親端末ＩＰアドレスに基づいて前記親端末へ情報取得要求を送信し、これに応じて前記親端末から通知された端末情報を自端末情報として設定する設定処理部とを備えている。
【００１１】
また、本発明にかかるＩＰ電話システムは、複数のＩＰ電話端末と、通信回線を介してこれらＩＰ電話端末を内線収容する電話制御装置とを備えるＩＰ電話システムであって、前記複数のＩＰ電話端末として、前述したＩＰ電話端末を備えている。
【００１２】
また、本発明にかかるＩＰ端末は、複数のＩＰ端末と、通信回線を介してこれらＩＰ端末とデータ通信を行う上位装置とを備えるＩＰ端末システムにおいて、前記複数のＩＰ端末のうちの１つとして用いられるＩＰ端末であって、前記通信回線に接続される前に、前記複数のＩＰ端末のそれぞれで用いる端末情報が外部から入力された場合、前記端末情報を記憶する記憶部と、前記通信回線に接続された際、前記記憶部の前記端末情報の有無または内容に基づいて自端末が親端末か子端末かを判定する端末判定部と、自端末が前記親端末である場合には、前記子端末からの接続要求に応じて自端末のＩＰアドレスである親端末ＩＰアドレスを前記子端末へ通知し、これに応じて前記親端末から通知された情報取得要求に応じて前記記憶部から未設定の端末情報を取得して前記子端末へ通知し、自端末が前記子端末である場合には、前記通信回線への接続時にブロードキャストで接続要求を送信し、これに応じて前記親端末から通知された前記親端末ＩＰアドレスに基づいて前記親端末へ情報取得要求を送信し、これに応じて前記親端末から通知された端末情報を自端末情報として設定する設定処理部とを備えている。
【発明の効果】
【００１３】
本発明によれば、設置工事の前にすべてのＩＰ端末を開梱する必要がなくなるため、端末情報の設定作業負担を大幅に低減することが可能となる。また、端末情報の設定処理に上位装置が関与する必要がなくなるため、ＩＰ端末さらには上位装置の汎用性を失うことなく、ＩＰ端末のそれぞれに個別の端末情報を設定することが可能となる。
【図面の簡単な説明】
【００１４】
【図１】ＩＰ電話システムの構成を示すブロック図である。
【図２】設定情報テーブルの構成例である。
【図３】ＩＰ電話端末に関する設置作業手順を示すシーケンス図である。
【図４】端末接続動作を示すシーケンス図である。
【図５】端末情報設定処理を示すフローチャートである。
【図６】端末情報設定動作を示すシーケンス図である。
【図７】ＩＰ端末システムの構成を示すブロック図である。
【発明を実施するための形態】
【００１５】
次に、本発明の一実施の形態について図面を参照して説明する。
［ＩＰ電話システム］
まず、図１を参照して、本実施の形態にかかるＩＰ電話システム１について説明する。図１は、ＩＰ電話システムの構成を示すブロック図である。
【００１６】
このＩＰ電話システム（ＩＰ端末システム）１は、全体としてビジネスホンシステムやＰＢＸシステムなどの電話システムからなり、複数のＩＰ電話端末（ＩＰ端末）１０と、通信回線Ｌを介してこれらＩＰ電話端末１０を内線収容し、ＩＰ電話網などの電話網ＮＷに交換接続する電話制御装置（上位装置）２０とを備えている。
【００１７】
本発明は、ＩＰ電話端末１０の１つとして親端末１０Ｘを設けて、設置する前に、この親端末１０Ｘに、親端末１０Ｘおよび親端末１０Ｘ以外のＩＰ電話端末１０からなる各子端末１０Ｙに関する端末情報を予め設定しておき、設置時において、通信回線Ｌを介した親端末１０Ｘと各子端末１０Ｙとの間でデータ通信を行うことにより、子端末１０Ｙからの情報取得要求に応じて、親端末１０Ｘが要求元の子端末１０Ｙに端末情報を設定するようにしたものである。
【００１８】
［ＩＰ電話端末］
次に、図１を参照して、本実施の形態にかかるＩＰ電話端末１０について説明する。
ＩＰ電話端末１０は、主な機能部として、通信Ｉ／Ｆ部１１、操作入力部１２、音声処理部１３、表示部１４、記憶部１５、端末制御部１６、端末判定部１７、および設定処理部１８を備えている。このうち、端末制御部１６、端末判定部１７、および設定処理部１８は、ＣＰＵと記憶部１５のプログラムとが協働することにより実現される。
【００１９】
通信Ｉ／Ｆ部１１は、通信回線Ｌに対する接続有無を検出する機能と、通信回線Ｌを介して電話制御装置２０および他のＩＰ電話端末１０とデータ通信を行う機能とを有している。
操作入力部１２は、ダイヤルキー、回線キー、機能キーなどのキー（ボタン）やスイッチを有し、利用者によるこれらキー（ボタン）やスイッチの操作を検出する機能を有している。
【００２０】
音声処理部１３は、通信Ｉ／Ｆ部１１で受信した電話制御装置２０からの音声データを音声信号に変換してスピーカから出力する機能と、マイクから入力された音声信号を音声データに変換して通信Ｉ／Ｆ部１１から電話制御装置２０へ出力する機能とを有している。
表示部１４は、ＬＣＤやＬＥＤなどの表示素子からなり、通信Ｉ／Ｆ部１１で受信した電話制御装置２０からの表示データに基づいて、これら表示素子を制御することにより、各種データを表示する機能を有している。
【００２１】
記憶部１５は、半導体メモリなどの記憶装置からなり、自端末の処理動作に用いる各種制御情報やプログラムを記憶する機能と、親端末１０Ｘおよび子端末１０Ｙの端末情報など、端末情報設定処理に用いる設定情報が内線番号ごとに登録された設定情報テーブルを記憶する機能と、自端末の処理動作に用いる自端末情報を記憶する機能とを有している。
【００２２】
図２は、設定情報テーブルの構成例である。ここでは、内線番号ごとに、当該内線番号を設定する親端末１０Ｘまたは子端末１０Ｙに対して設定すべき端末情報と、当該端末情報が設定済み（処理済み）であることを示す設定済みフラグと、当該内線番号を設定した親端末１０Ｘまたは子端末１０ＹのＭＡＣアドレスとが、エントリとして登録されている。この際、端末情報の一部として、親端末１０Ｘか子端末１０Ｙかを特定する端末識別情報を設定しておいてもよい。
【００２３】
端末情報の具体例としては、内線番号のほか、電話システム１を管理する管理サーバ（オート・プロビジョニング・サーバ）のＩＰアドレスやキーアサインなど、それぞれの内線番号と対応する個別の端末情報が登録されている。キーアサインは、ＩＰ電話端末１０の操作入力部１２に設けられているキーのうち、任意の機能を割り当て可能なフレキシブルキーに対する機能の割当内容を示す情報である。
【００２４】
端末制御部１６は、通信回線Ｌを介して電話制御装置２０から通知された制御データと、記憶部１５の各種制御情報および自端末情報とに基づいて、着信動作、発信動作、音声通話など、自端末に関する呼制御を行う機能を有している。
【００２５】
端末判定部１７は、通信Ｉ／Ｆ部１１により通信回線Ｌに対する接続が検出された場合、記憶部１５の端末情報（設定情報テーブル）の有無または端末情報の一部として設定しておいた端末識別情報に基づいて、自端末が親端末１０Ｘか子端末１０Ｙかを判定する機能を有している。
【００２６】
設定処理部１８は、端末判定部１７により自端末が親端末１０Ｘであると判定された場合、記憶部１５の設定情報テーブルから取得した端末情報を自端末情報として記憶部１５に設定する機能と、端末判定部１７により自端末が子端末１０Ｙであると判定された場合、通信Ｉ／Ｆ部１１で受信した子端末１０Ｙからの情報取得要求に応じて、記憶部１５の設定情報テーブルから取得した端末情報を、要求元の子端末１０Ｙへ通知する機能とを有している。
【００２７】
［設置作業手順］
次に、図３を参照して、本実施の形態にかかるＩＰ電話端末１０に関する設置作業手順について説明する。図３は、ＩＰ電話端末に関する設置作業手順を示すシーケンス図である。
本実施の形態において、ＩＰ電話端末１０を利用者の施設に設置する場合、図３に示す設置作業手順に従って設置される。
【００２８】
まず、設置工事者は、設置工事店などの準備場所に、設置する複数のＩＰ電話端末１０を入荷する（ステップ１００）。これらＩＰ電話端末１０は、工場出荷されたものでありすべて同じ状態のものである。この際、電話制御装置２０も新規に設置する場合には、合わせて電話制御装置２０を入荷してもよい。
次に、設置工事者は、入荷したＩＰ電話端末１０から、いずれか１つのＩＰ電話端末１０を親端末１０Ｘとして選択して（ステップ１０１）、梱包箱からＩＰ電話端末１０を開梱する（ステップ１０２）。
【００２９】
続いて、設置工事者は、予め用意してある設定用のＰＣに親端末１０Ｘを接続して、ＰＣに入力されている端末情報を含む設定情報を親端末１０Ｘの記憶部１５に設定し（ステップ１０３）、親端末１０Ｘを元の梱包箱に梱包した後（ステップ１０４）、親端末１０Ｘおよびその他のＩＰ電話端末１０からなる子端末１０Ｙ、さらには電話制御装置２０を、利用者の設置場所に配送する（ステップ１０５）。
なお、ステップ１００の後、ＩＰ電話端末１０を利用者の設置場所に配送し、ステップ１０１〜１０３を設置工事者が設置場所で実行してもよい。これにより、親端末１０Ｘを元の梱包箱に梱包する手順を省くことができる。
【００３０】
この後、設置工事者は、ＩＰ電話端末１０さらには電話制御装置２０を開梱し（ステップ１０６）、電話制御装置２０の運用を開始した後（ステップ１０７）、親端末１０Ｘさらには子端末１０Ｙを通信回線Ｌに順に接続することにより、親端末１０Ｘと子端末１０Ｙとの間で端末情報の設定処理を実行し（ステップ１０８）、各ＩＰ電話端末１０の運用を開始する（ステップ１０９）。
【００３１】
［端末接続動作］
次に、図４を参照して、本実施の形態にかかるＩＰ電話端末１０の端末接続動作について説明する。図４は、端末接続動作を示すシーケンス図である。
ＩＰ電話端末１０Ａ〜１０Ｄは、通信回線Ｌへの接続に応じて、図４の端末接続動作を実行する。ここでは、通信回線Ｌに対して４つのＩＰ電話端末１０Ａ〜１０Ｄが順に接続されるものとし、このうちＩＰ電話端末１０Ａが親端末１０Ｘとなり、ＩＰ電話端末１０Ｂ〜１０Ｄが子端末１０Ｙとなる場合を例として説明する。なお、端末接続動作の実行に際し、電話制御装置２０は、すでに運用状態にあるものとする。
【００３２】
まず、ＩＰ電話端末１０Ａは、通信回線Ｌへの接続後（ステップ１２０）、電話制御装置２０とデータ通信を行うことにより、電話制御装置２０の内線電話端末として登録するための端末登録処理を実行する（ステップ１２１）。この端末登録処理により、ＩＰ電話端末１０Ａに対してＩＰアドレスが付与される。なお、端末登録処理は、一般的なＩＰ電話システムで行われている公知の処理であり、ここでの詳細な説明は省略する。
【００３３】
次に、ＩＰ電話端末１０Ａは、記憶部１５の端末情報に基づいて自端末が親端末１０Ｘであることを確認し（ステップ１２２）、設定情報テーブルから取得した端末情報を自端末情報として記憶部１５に設定し（ステップ１２３）、電話制御装置２０の内線電話端末として運用を開始する（ステップ１２４）。
【００３４】
続いて、ＩＰ電話端末１０Ｂは、通信回線Ｌへの接続後（ステップ１３０）、電話制御装置２０とデータ通信を行うことにより、電話制御装置２０の内線電話端末として登録するための端末登録処理を実行する（ステップ１３１）。この端末登録処理により、ＩＰ電話端末１０Ｂに対してＩＰアドレスが付与される。
【００３５】
次に、ＩＰ電話端末１０Ｂは、記憶部１５の端末情報に基づいて自端末が子端末１０Ｙであることを確認し（ステップ１３２）、通信回線Ｌを介して親端末１０Ｘとの間で端末情報設定処理を実行することにより、親端末１０Ｘから通知された端末情報を自端末情報として記憶部１５に設定し（ステップ１３３）、電話制御装置２０の内線電話端末として運用動作を開始する（ステップ１３４）。
【００３６】
続いて、ＩＰ電話端末１０Ｃは、通信回線Ｌへの接続後、ＩＰ電話端末１０Ｂのステップ１３０〜１３３と同様にして、親端末１０Ｘから通知された端末情報を自端末情報として記憶部１５に設定し（ステップ１４０〜１４３）、電話制御装置２０の内線電話端末として運用動作を開始する（ステップ１４４）。
【００３７】
この後、ＩＰ電話端末１０Ｄは、通信回線Ｌへの接続後、ＩＰ電話端末１０Ｂのステップ１３０〜１３３と同様にして、親端末１０Ｘから通知された端末情報を自端末情報として記憶部１５に設定し（ステップ１５０〜１５３）、電話制御装置２０の内線電話端末として運用動作を開始する（ステップ１５４）。
これにより、ＩＰ電話端末１０Ｂ〜１０Ｄの各子端末１０Ｙには、ＩＰ電話端末１０Ａである親端末１０Ｘから通知された端末情報がそれぞれ設定されることになる。
【００３８】
［端末情報設定処理］
次に、図５を参照して、本実施の形態にかかるＩＰ電話端末１０での端末情報設定処理について説明する。図５は、端末情報設定処理を示すフローチャートである。
【００３９】
まず、端末判定部１７は、端末登録処理により電話制御装置２０からＩＰアドレスが付与された後、記憶部１５の設定情報テーブルを確認し（ステップ１６０）、自端末が親端末１０Ｘか子端末１０Ｙかを判定する（ステップ１６１）。この際、端末情報（設定情報テーブル）の有無に基づいて親子端末判定を行ってもよく、端末情報の内容、例えば端末情報の一部として設定しておいた親端末１０Ｘか子端末１０Ｙかを特定する端末識別情報に基づいて親子端末判定を行ってもよい。
【００４０】
親子端末判定の結果、自端末が親端末１０Ｘであると判定された場合（ステップ１６１：ＹＥＳ）、設定処理部１８は、記憶部１５の設定情報テーブルから未設定の端末情報を１つ取得し、自端末情報として記憶部１５に設定する（ステップ１６２）。これにより、親端末１０Ｘは、電話制御装置２０の内線電話端末として運用動作を開始する（ステップ１６３）。
【００４１】
親端末１０Ｘや子端末１０Ｙに限らず、図２の設定情報テーブルから端末情報を取得する際、例えば先頭から順に選択したエントリから端末情報を取得すればよい。特に、子端末１０Ｙ用の端末情報については、例えば設定情報テーブルに対して内線番号の順に端末情報を登録しておき、内線番号の順に子端末１０Ｙを通信回線Ｌに接続すれば、所望の子端末１０Ｙに所望の内線番号と端末情報とを設定することができる。なお、親端末１０Ｘの端末情報を選択する場合、予め親端末１０Ｘ用として設定されている特定の内線番号を持つエントリから端末情報を取得してもよい。
【００４２】
また、各エントリにＭＡＣアドレスを予め設定しておき、自端末のＭＡＣアドレスと一致するエントリから端末情報を取得してもよい。これにより、特定のＭＡＣアドレスのＩＰ電話端末１０に、所望の内線番号と端末情報とを設定することができる。
【００４３】
この後、子端末１０Ｙから接続要求を受信した場合（ステップ１６４：ＹＥＳ）、親端末１０Ｘの設定処理部１８は、電話制御装置２０から付与された自端末のＩＰアドレスすなわち親端末ＩＰアドレスを含む接続情報を要求元の子端末１０Ｙに通知し（ステップ１６５）、設定情報テーブルの設定済みフラグを確認し、すべての端末情報について設定が終了したか確認する（ステップ１６６）。
【００４４】
ここで、すべての端末情報について設定が終了した場合（ステップ１６６：ＹＥＳ）、一連の端末情報設定処理を終了し、すべての端末情報について設定が終了していない場合（ステップ１６６：ＮＯ）、ステップ１６４へ戻る。
【００４５】
一方、接続要求ではなく（ステップ１６４：ＮＯ）、情報取得要求を子端末１０Ｙから受信した場合（ステップ１６７：ＹＥＳ）、親端末１０Ｘの設定処理部１８は、設定情報テーブルから未設定の端末情報を１つ取得して要求元の子端末１０Ｙに通知し（ステップ１６８）、当該端末情報のエントリに要求元の子端末１０ＹのＭＡＣアドレスを登録するとともに、設定済みフラグを１にすることにより、当該端末情報が設定済み（処理済み）であることを設定し（ステップ１６９）、ステップ１６６へ移行する。
【００４６】
なお、情報取得要求を受信していない場合（ステップ１６７：ＮＯ）、ステップ１６４に戻る。また、ステップ１６４およびステップ１６７において、要求元の子端末１０ＹのＭＡＣアドレスに基づいて当該子端末１０Ｙには端末情報を設定済みであることが確認された場合、ステップ１６６に移行するようにしてもよい。これにより、端末情報の重複設定を避けることができる。
【００４７】
ステップ１６１において、自端末が子端末１０Ｙであると判定された場合（ステップ１６１：ＮＯ）、子端末１０Ｙの設定処理部１８は、まず、ランダムな遅延時間または自端末に固有の遅延時間だけ待機した後（ステップ１７０）、予め設定されているブロードキャストアドレス宛の接続要求を、通信Ｉ／Ｆ部１１から通信回線Ｌに送信する（ステップ１７１）。この接続要求は、親端末１０Ｘで受信され、接続情報が返送される。なお、この接続要求は、他の子端末１０Ｙでも受信されるが無視される。
【００４８】
続いて、子端末１０Ｙの設定処理部１８は、親端末１０Ｘからの接続情報を受信するまで待機し（ステップ１７２：ＮＯ）、接続情報の受信に応じて（ステップ１７２：ＹＥＳ）、当該接続情報から取得した親端末ＩＰアドレス宛の情報取得要求を、通信Ｉ／Ｆ部１１から通信回線Ｌに送信する（ステップ１７３）。この情報取得要求は、親端末１０Ｘで受信され、端末情報が返送される。
【００４９】
この後、子端末１０Ｙの設定処理部１８は、親端末１０Ｘからの端末情報を受信するまで待機し（ステップ１７４：ＮＯ）、端末情報の受信に応じて（ステップ１７４：ＹＥＳ）、当該端末情報を自端末情報として記憶部１５に設定する（ステップ１７５）。これにより、子端末１０Ｙは、電話制御装置２０の内線電話端末として運用動作を開始し（ステップ１７６）、一連の端末情報設定処理を終了する。
【００５０】
［端末情報設定動作］
次に、図６を参照して、本実施の形態にかかる端末情報設定動作について説明する。図６は、端末情報設定動作を示すシーケンス図である。
ここでは、親端末１０Ｘがすでに運用動作状態にあり、いずれかの子端末１０Ｙに対して端末情報を設定する場合を例として説明する。
【００５１】
まず、親端末１０Ｘは、子端末１０Ｙからブロードキャストで送信された接続要求を受信した場合（ステップ１８０）、記憶部１５から自己のＩＰアドレスからなる親ＩＰアドレスを含む接続情報を取得し（ステップ１８１）、当該接続情報を要求元の子端末１０Ｙへ通知する（ステップ１８２）。
子端末１０Ｙは、親端末１０Ｘから接続情報を受信した場合（ステップ１８２）、当該接続情報に含まれている親ＩＰアドレスを取得し（ステップ１８３）、親ＩＰアドレスに基づいて親端末１０Ｘへ情報取得要求を送信する（ステップ１８４）。
【００５２】
親端末１０Ｘは、子端末１０Ｙからの情報取得要求を受信した場合（ステップ１８４）、記憶部１５の設定情報テーブルから未設定の端末情報を取得し（ステップ１８５）、当該端末情報を含む端末情報を要求元の子端末１０Ｙに通知する（ステップ１８６）。
子端末１０Ｙは、親端末１０Ｘから接続要求を受信した場合（ステップ１８６）、当該端末情報を自端末情報として記憶部１５に設定する（ステップ１８７）。
【００５３】
なお、記憶部１５の設定情報テーブルから端末情報を取得する際、各エントリの端末情報に代えてファイル名などの端末情報ＩＤを登録しておくとともに、これら端末情報ＩＤごとに、対応する端末情報を例えばデータファイルとして記憶部１５に登録しておき、子端末１０Ｙからの接続要求に応じて、親端末１０Ｘの設定処理部１８が、設定情報テーブルから選択した未設定のエントリの端末情報ＩＤを接続情報で子端末１０Ｙに通知し、子端末１０Ｙがこの端末情報ＩＤを情報取得要求で指定し、親端末１０Ｘの設定処理部１８が、指定された端末情報ＩＤと対応するデータファイルを記憶部１５から取得して、子端末１０Ｙに通知するようにしてもよい。
【００５４】
［本実施の形態の効果］
このように、本実施の形態は、端末判定部１７が、通信回線Ｌに接続された際、記憶部１５の端末情報の有無または内容に基づいて自端末が親端末１０Ｘか子端末１０Ｙかを判定し、設定処理部１８が、自端末が親端末１０Ｘである場合には、子端末１０Ｙからの接続要求に応じて自端末のＩＰアドレスである親端末ＩＰアドレスを子端末１０Ｙへ通知し、これに応じて親端末１０Ｘから通知された情報取得要求に応じて記憶部１５から未設定の端末情報を取得して子端末１０Ｙへ通知し、自端末が子端末１０Ｙである場合には、通信回線Ｌへの接続時にブロードキャストで接続要求を送信し、これに応じて親端末１０Ｘから通知された親端末ＩＰアドレスに基づいて親端末１０Ｘへ情報取得要求を送信し、これに応じて親端末１０Ｘから通知された端末情報を自端末情報として設定するようにしたものである。
【００５５】
これにより、各ＩＰ電話端末１０が自端末の親子端末判定を行って、親端末１０Ｘから子端末１０Ｙへ、子端末１０Ｙでの動作に必要となる端末情報が通知されて設定されることになる。したがって、各ＩＰ電話端末１０で自端末に関する親子端末判定が行われるため、設置工事の前に、ある１つのＩＰ電話端末１０を親端末１０Ｘとして選択して開梱し、各ＩＰ電話端末１０の端末情報を設定するだけで、各子端末１０Ｙへ端末情報が通知される。これにより、設置工事の前にすべてのＩＰ電話端末１０を開梱する必要がなくなるため、端末情報の設定作業負担を大幅に低減することが可能となる。
【００５６】
また、端末情報の設定処理に電話制御装置２０が関与する必要がなくなるため、各ＩＰ電話端末１０が端末情報設定処理に対応していればよいことになる。したがって、ＩＰ電話端末１０を接続する電話制御装置２０については、いずれの電話制御装置２０であってもよく、結果として、ＩＰ電話端末１０さらには電話制御装置２０の汎用性を失うことなく、ＩＰ電話端末１０のそれぞれに個別の端末情報を設定することが可能となる。
【００５７】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【００５８】
以上では、ＩＰ電話システム１を具体例として説明したが、これに限定されるものではなく、通信回線を介して接続された複数のＩＰ端末を備えるＩＰ端末システムに対して、本実施の形態を同様に適用でき、同様の作用効果を得ることができる。
【００５９】
図７は、ＩＰ端末システムの構成を示すブロック図である。図７に示したＩＰ端末システム５は、全体としてセンサネットワークシステムなどのＩＰ端末システムからなり、複数のＩＰ端末５０と、通信回線Ｌを介してこれらＩＰ端末５０とデータ通信を行う上位装置６０とを備えている。
ＩＰ端末システム５がセンサネットワークシステムである場合、ＩＰ端末５０は、センサやカメラなどのＩＰ端末からなり、上位装置６０が、ＩＰ端末５０で取得したデータをＬＡＮや無線ＬＡＮなどの通信回線Ｌを介して収集するサーバ装置からなる。
【００６０】
図７に示すように、ＩＰ端末５０は、主な機能部として、通信Ｉ／Ｆ部５１、入出力Ｉ／Ｆ部５２、記憶部５３、端末制御部５４、端末判定部５５、および設定処理部５６を備えている。このうち、通信Ｉ／Ｆ部５１、記憶部５３、端末制御部５４、端末判定部５５、および設定処理部５６は、前述した図１の通信Ｉ／Ｆ部１１、記憶部１５、端末制御部１６、端末判定部１７、および設定処理部１８にそれぞれ相当し、端末制御部５４、端末判定部５５、および設定処理部５６は、ＣＰＵと記憶部１５のプログラムとが協働することにより実現される。
【００６１】
通信Ｉ／Ｆ部５１は、通信回線Ｌに対する接続有無を検出する機能と、通信回線Ｌを介して上位装置６０および他のＩＰ端末５０とデータ通信を行う機能とを有している。
入出力Ｉ／Ｆ部５２は、センサやカメラなどの入出力装置からなり、データや信号を入力または出力あるいは入出力する機能を有している。
【００６２】
記憶部５３は、半導体メモリなどの記憶装置からなり、自端末の処理動作に用いる各種制御情報やプログラムを記憶する機能と、親端末１０Ｘおよび子端末１０Ｙの端末情報など、端末情報設定処理に用いる設定情報が内線番号ごとに登録された設定情報テーブル（図２参照）を記憶する機能と、自端末の処理動作に用いる自端末情報を記憶する機能とを有している。
【００６３】
端末制御部５４は、通信回線Ｌを介して上位装置６０から通知された制御データと記憶部５３の自端末情報とに基づいて、入出力Ｉ／Ｆ部５２で得られたデータを通信Ｉ／Ｆ部５１を介して上位装置６０へ送信する機能と、通信回線Ｌを介して受信した上位装置６０から通知されたデータを入出力Ｉ／Ｆ部５２から出力する機能とを有している。
【００６４】
端末判定部５５は、通信Ｉ／Ｆ部５１により通信回線Ｌに対する接続が検出された場合、記憶部５３の端末情報（設定情報テーブル）の有無または端末情報の一部として設定しておいた端末識別情報に基づいて、自端末が親端末１０Ｘか子端末１０Ｙかを判定する機能を有している。
【００６５】
設定処理部５６は、端末判定部５５により自端末が親端末１０Ｘであると判定された場合、記憶部５３の設定情報テーブルから取得した端末情報を自端末情報として記憶部５３に設定する機能と、端末判定部５５により自端末が子端末１０Ｙであると判定された場合、通信Ｉ／Ｆ部５１で受信した子端末１０Ｙからの情報取得要求に応じて、記憶部５３の設定情報テーブルから取得した端末情報を、要求元の子端末１０Ｙへ通知する機能とを有している。
【００６６】
ＩＰ端末システム５における、端末制御部５４、端末判定部５５、および設定処理部５６の処理動作については、前述した前述した図１の端末制御部１６、端末判定部１７、および設定処理部１８と同様であり、ここでの詳細な説明は省略する。
【００６７】
このように、本発明は、ＩＰ電話システム１に限定されるものではなく、通信回線を介して接続された複数のＩＰ端末５０を備えるＩＰ端末システム５に対しても、前述と同様に適用できる。したがって、設置工事の前にすべてのＩＰ端末５０を開梱する必要がなくなるため、端末情報の設定作業負担を大幅に低減することが可能となる。また、端末情報の設定処理に上位装置６０が関与する必要がなくなるため、ＩＰ端末５０さらには上位装置６０の汎用性を失うことなく、ＩＰ端末５０のそれぞれに個別の端末情報を設定することが可能となる。
【符号の説明】
【００６８】
１…ＩＰ電話システム、５…ＩＰ端末システム、１０…ＩＰ電話端末、１０Ｘ…親端末、１０Ｙ…子端末、１１…通信Ｉ／Ｆ部、１２…操作入力部、１３…音声処理部、１４…表示部、１５…記憶部、１６…端末制御部、１７…端末判定部、１８…設定処理部、５１…通信Ｉ／Ｆ部、５２…入出力Ｉ／Ｆ部、５３…記憶部、５４…端末制御部、５５…端末判定部、５６…設定処理部、Ｌ…通信回線、ＮＷ…電話網。
【図１】
2019068206.tif 000003
【図２】
2019068206.tif 000004
【図３】
2019068206.tif 000005
【図４】
2019068206.tif 000006
【図５】
2019068206.tif 000007
【図６】
2019068206.tif 000008
【図７】
2019068206.tif 000009